(57)【要約】【課題】ユーザが紙媒体から必要な情報を探し出すのと同様の感覚で、所望の画像ファイルを特定できる情報管理装置および情報管理プログラムを提供する。【解決手段】手書入力システムでは、電子ペンによって紙媒体に情報が記入されると、電子ペンの軌跡を示すストロークデータが読取装置によって取得される。ＰＣでは、取得されたストロークデータに基づいて、紙媒体に記入された情報を示す画像ファイルが生成され、ＨＤＤに保存される。ディスプレイには、ＨＤＤに記憶された複数の画像ファイルに基づいて、ファイル名に基づく順序でサムネイル画像が表示され（Ｓ５１、Ｓ５３）、且つ、生成日時に基づく順序で見開き画像が表示される（Ｓ５５、Ｓ５７）。【選択図】図５
2014086053.tif 000002
【特許請求の範囲】
【請求項１】
所定領域に配置された紙媒体に情報を記入する筆記手段の軌跡を検出可能な検出手段によって検出される前記軌跡を示すデータであって、前記軌跡上の複数の位置の情報によって前記軌跡を特定するストロークデータを、前記検出手段から取得するデータ取得手段と、
前記データ取得手段によって取得された前記ストロークデータに基づいて、前記紙媒体に記入された前記情報を示す画像ファイルを生成するファイル生成手段と、
前記ファイル生成手段によって生成された前記画像ファイルを、記憶装置に記憶する記憶制御手段と、
前記記憶装置に記憶された複数の前記画像ファイルをそれぞれ縮小表示したサムネイル画像を、第一の項目に基づく順序で表示手段に表示する第一表示制御手段と、
前記記憶装置に記憶された前記複数の画像ファイルを冊子状に見開き表示した見開き画像を、第一の項目とは異なる第二の項目に基づく順序で、前記表示手段に前記サムネイル画像と併せて表示する第二表示制御手段と
を備えたことを特徴とする情報管理装置。
【請求項２】
前記記憶装置に記憶された前記複数の画像ファイルのうちで、指定された条件に合致する前記画像ファイルを検索するファイル検索手段と、
前記表示手段に表示される複数の前記サムネイル画像のうちで、前記ファイル検索手段によって検索された前記画像ファイルに対応する前記サムネイル画像を、他の前記サムネイル画像とは異なる態様で表示する第一検索結果表示手段と
を備えたことを特徴とする請求項１に記載の情報管理装置。
【請求項３】
前記表示手段に表示される複数の前記見開き画像のうちで、前記ファイル検索手段によって検索された前記画像ファイルに対応する前記見開き画像を、他の前記見開き画像とは異なる態様で表示する第二検索結果表示手段を備えたことを特徴とする請求項２に記載の情報管理装置。
【請求項４】
前記データ取得手段によって取得される複数の前記ストロークデータは、前記画像ファイルの保存を指示する前記ストロークデータである保存指示データを含み、
前記ファイル生成手段は、前記画像ファイルの生成に使用されていない未処理の前記ストロークデータのうちで、前記保存指示データが示す保存対象の前記ストロークデータを合成することで、一の前記画像ファイルを生成することを特徴とする請求項１から３のいずれかに記載の情報管理装置。
【請求項５】
前記データ取得手段によって取得される前記複数のストロークデータは、前記紙媒体の改頁を指示する前記ストロークデータである改頁指示データを含み、
前記ファイル生成手段は、
前記画像ファイルの生成に使用されていない未処理の前記ストロークデータのうちで、前記改頁指示データが示す改頁対象の前記ストロークデータを一時記憶装置に退避させ、
前記保存指示データが示す前記保存対象の前記ストロークデータと、前記一時記憶装置に退避させた前記改頁対象のストロークデータとを合成することで、一の前記画像ファイルを生成することを特徴とする請求項４に記載の情報管理装置。
【請求項６】
前記第一の項目は、前記画像ファイルのファイル名であり、
前記第二の項目は、前記画像ファイルの生成された日時であることを特徴とする請求項１から５のいずれかに記載の情報管理装置。
【請求項７】
コンピュータに、
所定領域に配置された紙媒体に情報を記入する筆記手段の軌跡を検出可能な検出手段によって検出される前記軌跡を示すデータであって、前記軌跡上の複数の位置の情報によって前記軌跡を特定するストロークデータを、前記検出手段から取得するデータ取得ステップと、
前記データ取得ステップによって取得された前記ストロークデータに基づいて、前記紙媒体に記入された前記情報を示す画像ファイルを生成するファイル生成ステップと、
前記ファイル生成ステップによって生成された前記画像ファイルを、記憶装置に記憶する記憶制御ステップと、
前記記憶装置に記憶された複数の前記画像ファイルをそれぞれ縮小表示したサムネイル画像を、第一の項目に基づく順序で表示手段に表示する第一表示制御ステップと、
前記記憶手段に記憶された前記複数の画像ファイルを冊子状に見開き表示した見開き画像を、第一の項目とは異なる第二の項目に基づく順序で、前記表示手段に前記サムネイル画像と併せて表示する第二表示制御ステップと
を実行させることを特徴とする情報管理プログラム。
【発明の詳細な説明】
【技術分野】
【０００１】
本発明は、紙媒体に記入された情報を電子化した画像ファイルを管理する情報管理装置および情報管理プログラムに関する。
【背景技術】
【０００２】
従来、紙媒体に記入された情報を電子化した画像ファイルを、ＰＣで保管および管理する技術が知られている（例えば、特許文献１参照）。ＰＣで多量の画像ファイルが保管および管理されると、ユーザが所望の画像ファイルを探し出すことが困難となる。そこで、ＰＣに保管および管理されている画像ファイルのサムネイル画像を、ディスプレイに表示することが考えられる。これにより、ユーザは複数の画像ファイルの概要を一目で把握できるため、所望の画像ファイルを迅速に特定可能になる。
【０００３】
ディスプレイに表示されるサムネイル画像が多すぎると、その中から所望のサムネイル画像を特定することが困難である。そこで、例えば原稿の読取データを文章のタイトル、見出し、図、表、手書きなどの項目によって分類し、分類結果に応じた形態で読取データをプレビュー表示する技術が知られている（例えば、特許文献２参照）。
【先行技術文献】
【特許文献】
【０００４】
【特許文献１】特開２００２−１３２９４３号公報
【特許文献２】特開２０１０−７２８４２号公報
【発明の概要】
【発明が解決しようとする課題】
【０００５】
上述したサムネイル画像およびプレビュー表示は、いずれも画像ファイルが規則的に一覧表示されるものである。そのため、画像ファイルが紙媒体に記入された情報であることを、ユーザは視覚的に把握しづらい。したがって、ユーザは紙媒体から必要な情報を探し出すのと同様の感覚で、所望の画像ファイルを特定することが困難であった。
【０００６】
本発明の目的は、ユーザが紙媒体から必要な情報を探し出すのと同様の感覚で、所望の画像ファイルを特定できる情報管理装置および情報管理プログラムを提供することである。
【課題を解決するための手段】
【０００７】
本発明の第一態様に係る情報管理装置は、所定領域に配置された紙媒体に情報を記入する筆記手段の軌跡を検出可能な検出手段によって検出される前記軌跡を示すデータであって、前記軌跡上の複数の位置の情報によって前記軌跡を特定するストロークデータを、前記検出手段から取得するデータ取得手段と、前記データ取得手段によって取得された前記ストロークデータに基づいて、前記紙媒体に記入された前記情報を示す画像ファイルを生成するファイル生成手段と、前記ファイル生成手段によって生成された前記画像ファイルを、記憶装置に記憶する記憶制御手段と、前記記憶装置に記憶された複数の前記画像ファイルをそれぞれ縮小表示したサムネイル画像を、第一の項目に基づく順序で表示手段に表示する第一表示制御手段と、前記記憶装置に記憶された前記複数の画像ファイルを冊子状に見開き表示した見開き画像を、第一の項目とは異なる第二の項目に基づく順序で、前記表示手段に前記サムネイル画像と併せて表示する第二表示制御手段とを備える。
【０００８】
本発明の第二態様に係る情報管理プログラムは、コンピュータに、所定領域に配置された紙媒体に情報を記入する筆記手段の軌跡を検出可能な検出手段によって検出される前記軌跡を示すデータであって、前記軌跡上の複数の位置の情報によって前記軌跡を特定するストロークデータを、前記検出手段から取得するデータ取得ステップと、前記データ取得ステップによって取得された前記ストロークデータに基づいて、前記紙媒体に記入された前記情報を示す画像ファイルを生成するファイル生成ステップと、前記ファイル生成ステップによって生成された前記画像ファイルを、記憶装置に記憶する記憶制御ステップと、前記記憶装置に記憶された複数の前記画像ファイルをそれぞれ縮小表示したサムネイル画像を、第一の項目に基づく順序で表示手段に表示する第一表示制御ステップと、前記記憶手段に記憶された前記複数の画像ファイルを冊子状に見開き表示した見開き画像を、第一の項目とは異なる第二の項目に基づく順序で、前記表示手段に前記サムネイル画像と併せて表示する第二表示制御ステップとを実行させることを特徴とする。
【０００９】
上記態様によれば、筆記手段によって紙媒体に情報が記入されると、筆記手段の軌跡を示すストロークデータが取得される。取得されたストロークデータに基づいて、紙媒体に記入された情報を示す画像ファイルが生成され、記憶装置に保存される。表示手段には、記憶装置に記憶された複数の画像ファイルに基づいて、第一の項目に基づく順序でサムネイル画像が表示され、且つ、第二の項目に基づく順序で見開き画像が表示される。したがって、ユーザが紙媒体から必要な情報を探し出すのと同様の感覚で、所望の画像ファイルを特定できる。
【図面の簡単な説明】
【００１０】
【図１】手書入力システム１の全体構成図である。
【図２】手書入力システム１の電気的構成を示すブロック図である。
【図３】紙媒体１００を見開きした正面図である。
【図４】データ分割処理のフローチャートである。
【図５】ファイル表示処理のフローチャートである。
【図６】ファイル表示画面２００の一例を示す図である。
【図７】ファイル表示画面２００の一例を示す図である。
【図８】変形例の紙媒体１００を見開きした正面図である。
【図９】変形例のファイル表示画面２００の一例を示す図である。
【図１０】他の変形例の紙媒体１００を見開きした正面図である。
【発明を実施するための形態】
【００１１】
以下、本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１２】
図１を参照して、本実施形態に係る手書入力システム１の概要を説明する。以下の説明では、図１の左上側、右下側、上側、下側、右上側、左下側を、それぞれ、読取装置２の左側、右側、上側、下側、後側、前側と定義して説明する。
【００１３】
手書入力システム１は、読取装置２、電子ペン３、ＰＣ４などを含む。手書入力システム１では、ユーザが電子ペン３を用いて、読取装置２に固定された紙媒体１００の用紙１２０に情報を記入する。読取装置２は、用紙１２０に情報を記入する電子ペン３の軌跡を検出して、後述のストロークデータを取得する。ＰＣ４では、読取装置２で取得されたストロークデータに基づいて、紙媒体に１００に記入された情報（文字、記号、図形、数字等）を電子化した画像ファイルが生成される。ＰＣ４は、生成された画像ファイルを保存および表示可能である。
【００１４】
読取装置２は、左右一対のセンサ基板７Ｌ，７Ｒを主体とする。センサ基板７Ｌ，７Ｒは、同一の矩形薄板状であり、左右方向に見開き可能に配置されている。各センサ基板７Ｌ，７Ｒには、Ｘ軸方向およびＹ軸方向の各々に、細長いループコイルが多数配列されている。読取装置２は、センサ基板７Ｌ，７Ｒを折り畳んで携行可能な、薄型軽量の手書き入力装置である。
【００１５】
電子ペン３は、公知の電磁誘導式の電子ペンであり、芯体３１、コイル３２、可変容量コンデンサ３３、基板３４、コンデンサ３５、およびインク収納部３６を備える。芯体３１は、電子ペン３の先端部に設けられている。芯体３１は図示外の弾性部材によって、電子ペン３の先端側に付勢されている。芯体３１の先端部は、電子ペン３の外部に突出している。芯体３１の後端側は、インクが収納されているインク収納部３６に接続されている。インク収納部３６は、芯体３１にインクを供給する。ユーザが電子ペン３を用いて用紙１２０に記入すると、インクによって用紙１２０に情報が形成される。
【００１６】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５および可変容量コンデンサ３３はコイル３２に並列に接続され、周知の共振（同調）回路を構成する。
【００１７】
紙媒体１００は、表表紙１１０Ｌと裏表紙１１０Ｒとの間に複数の用紙１２０が綴じられた、左右方向に見開き可能な冊子状である。つまり、紙媒体１００では、一対の表紙（表表紙１１０Ｌおよび裏表紙１１０Ｒ）と複数の用紙１２０とが、各々の縁部の一部で綴じられている。紙媒体１００は、表表紙１１０Ｌがセンサ基板７Ｌの上面に載置され、且つ、裏表紙１１０Ｒがセンサ基板７Ｒの上面に載置されるように、読取装置２上に装着される。紙媒体１００が読取装置２に装着された状態で、ユーザは電子ペン３を用いて用紙１２０に情報を記入できる。用紙１２０に対向するセンサ基板７Ｌ，７Ｒのいずれかによって、用紙１２０に情報を記入する電子ペン３の位置情報が検出される。
【００１８】
図２を参照して、手書入力システム１の電気的構成を説明する。まず、読取装置２の電気的構成を説明する。読取装置２は、センサ基板７Ｌ，７Ｒ、メイン基板２０、およびセンサ制御基板２８，２９を備える。
【００１９】
メイン基板２０は、ＣＰＵ２１、フラッシュＲＯＭ２２、および無線通信部２３を備えている。フラッシュＲＯＭ２２および無線通信部２３は、ＣＰＵ２１に電気的に接続されている。ＣＰＵ２１は、読取装置２の制御を行う。フラッシュＲＯＭ２２には、ＣＰＵ２１が読取装置２を制御するために実行する各種プログラムが記憶されている。さらに、フラッシュＲＯＭ２２には、用紙１２０に情報を記入する電子ペン３の軌跡を示すストロークデータが記憶される。ストロークデータは、センサ基板７Ｌ，７Ｒによって経時的に検出された電子ペン３の複数の位置情報（例えば、座標情報）によって、用紙１２０に情報を記入する電子ペン３の軌跡を特定する。無線通信部２３は、外部の電子機器と近距離無線通信を実行するためのコントローラである。
【００２０】
センサ基板７Ｌは、センサ制御基板２８のＡＳＩＣ２８Ａに電気的に接続されている。ＡＳＩＣ２８Ａは、電子ペン３による記入動作がセンサ基板７Ｌ上で行われた場合に、記入動作に基づいてストロークデータを取得するが、詳細は後述する。センサ基板７Ｒは、センサ制御基板２９のＡＳＩＣ２９Ａに電気的に接続されている。ＡＳＩＣ２９Ａは、電子ペン３による記入動作がセンサ基板７Ｒ上で行われた場合に、記入動作に基づいてストロークデータを取得するが、詳細は後述する。ＡＳＩＣ２８Ａ，２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００２１】
センサ基板７Ｌ，７Ｒによってストロークデータが取得される原理を、概略的に説明する。ＣＰＵ２１はＡＳＩＣ２８Ａ，２９Ａを制御して、センサ基板７Ｌ，７Ｒの各々のループコイルに、一本ずつ特定の周波数の電流（励磁用送信電流）を流す。これにより、センサ基板７Ｌ，７Ｒの各々のループコイルから磁界が発生する。この状態で、例えばユーザが電子ペン３を用いて読取装置２に固定された紙媒体１００の用紙１２０に情報を記入すると、電子ペン３がセンサ基板７Ｌ，７Ｒに近接する。そのため、電子ペン３の共振回路は電磁誘導によって共振し、誘導磁界を生じる。
【００２２】
次に、ＣＰＵ２１はＡＳＩＣ２８Ａ，２９Ａを制御して、センサ基板７Ｌ，７Ｒの各々のループコイルからの磁界の発生を停止させる。さらに、電子ペン３の共振回路から発せられる誘導磁界を、センサ基板７Ｌ，７Ｒの各々のループコイルで受信する。ＣＰＵ２１はＡＳＩＣ２８Ａ，２９Ａを制御して、センサ基板７Ｌ，７Ｒの各々のループコイルに流れる信号電流（受信電流）を検出させる。ＡＳＩＣ２８Ａ，２９Ａがこの動作を全てのループコイルについて一本ずつに実行することで、受信電流に基づいて電子ペン３の位置が検出される。
【００２３】
さらに、電子ペン３を用いて用紙１２０に情報が記入されている状態では、芯体３１に筆圧が付与される。芯体３１に付与される筆圧に応じて、コイル３２のインダクタンスが変化する。これにより、電子ペン３の共振回路の共振周波数が変化する。ＣＰＵ２１はこの共振周波数の変化（位相変化）を検出して、電子ペン３に付与された筆圧を特定する。つまりＣＰＵ２１は、電子ペン３から特定した筆圧によって、用紙１２０に情報が記入されているか否かを判断できる。ＣＰＵ２１は、用紙１２０に情報が記入されていると判断した場合、電子ペン３の軌跡を示すストロークデータを取得し、フラッシュＲＯＭ２２に保存する。
【００２４】
次に、ＰＣ４の電気的構成を説明する。ＰＣ４は、ＰＣ４の制御を行うＣＰＵ４１を備えている。ＣＰＵ４１は、ハードディスクドライブ（ＨＤＤ）４２、ＲＡＭ４３、無線通信部４４、入力回路４５、および出力回路４６と電気的に接続している。ＨＤＤ４２には、ＣＰＵ４１が実行する各種プログラムが記憶される。後述のデータ分割処理（図４）およびファイル表示処理（図５参照）を実行するための情報管理プログラムも、ＨＤＤ４２に記憶されている。
【００２５】
ＰＣ４は、図示外の媒体読取装置（例えば、ＣＤ−ＲＯＭドライブ）を備える。ＰＣ４は、記憶媒体（例えば、ＣＤ−ＲＯＭ）に記憶されている情報管理プログラムを、媒体読取装置で読み取ってＨＤＤ４２にインストールできる。また、ＰＣ４に接続されている外部機器（図示外）またはネットワークから情報管理プログラムを受信して、ＨＤＤ４２にインストールしてもよい。
【００２６】
ＲＡＭ４３は、種々の一時データを記憶する。無線通信部４４は、外部の電子機器と近距離無線通信を実行するためのコントローラである。入力回路４５は、ＣＰＵ４１へ入力部４７（例えば、マウス、キーボード、タッチパネルなど）からの指示を送る制御を行う。出力回路４６は、ＣＰＵ４１からの指示に応じてディスプレイ４８に画像を表示する制御を行う。
【００２７】
本実施形態では、読取装置２の無線通信部２３とＰＣ４の無線通信部４４との間で、近距離無線通信を実行可能である。ユーザが読取装置２にデータ転送指示を入力すると、フラッシュＲＯＭ２２に保存されているストロークデータが、読取装置２からＰＣ４に近距離無線通信によって転送される。さらにＰＣ４で情報管理プログラムが起動されると、ＣＰＵ４１は読取装置２から転送されたストロークデータに基づいて、紙媒体１００の用紙１２０に記入された情報を電子化した画像ファイルを生成する。画像ファイルは、情報の軌跡をデシタル画像によって示すデータファイルである。デジタル画像の例として、ベクター画像やラスター画像が挙げられる。画像ファイルとしてＪＰＥＧファイル、ＧＩＦファイル、ＰＮＧファイル、ＢＭＰファイルが挙げられる。生成された画像ファイルは、ＨＤＤ４２に保存される。ＨＤＤ４２に保存された画像ファイルは、後述するようにディスプレイ４８に表示可能である。
【００２８】
図３を参照して、本実施形態の紙媒体１００について説明する。以下の説明では、図３の上側、下側、左側、右側、紙面手前側、紙面奥側をそれぞれ、紙媒体１００の上側、下側、左側、右側、前側、後側と定義して説明する。一例として紙媒体１００は、左右開きのＡ５サイズノートである。各用紙１２０の両面には、同一のフォーマット（例えば、罫線の線種および幅など）が印刷されている。したがって、図３に示すように、紙媒体１００に綴じられている二枚の用紙１２０を見開きした状態では、正面視で左側に配置される用紙１２０の裏面である左頁面１２０Ｌと、正面視で右側に配置される用紙１２０の表面である右頁面１２０Ｒとが左右に並ぶ。
【００２９】
本実施形態では、ユーザが連続する三頁に亘って用紙１２０に情報を記入した場合を例示する。図３では、一頁目となる見開きの左頁面１２０Ｌと、二頁目となる見開きの右頁面１２０Ｒと、三頁目となる見開きの左頁面１２０Ｌとを図示している。三頁目となる見開きの左頁面１２０Ｌは、二頁目となる見開きの右頁面１２０Ｒの裏面である。
【００３０】
各用紙１２０は、平面視で上下方向に長い長方形状である。左頁面１２０Ｌの上端部から下端部に向けて、タイトル部１３０Ｌ、ボディ部１４０Ｌ，１５０Ｌ，１６０Ｌ，１７０Ｌが並んで設けられている。タイトル部１３０Ｌには、四つのタイトル記入欄１３１Ｌ，１３２Ｌ，１３３Ｌ，１３４Ｌが設けられている。ユーザは、各タイトル記入欄１３１Ｌ，１３２Ｌ，１３３Ｌ，１３４Ｌに、それぞれボディ部１４０Ｌ，１５０Ｌ，１６０Ｌ，１７０Ｌのタイトルを記入可能である。
【００３１】
ボディ部１４０Ｌは、自由記入欄１４１Ｌおよび保存欄１４２Ｌを含む。自由記入欄１４１Ｌは、ユーザが自由に情報を記入可能な紙面領域である。保存欄１４２Ｌは、ユーザが画像ファイルの保存を指示するためのチェックボックスである。同様に、ボディ部１５０Ｌは、自由記入欄１５１Ｌおよび保存欄１５２Ｌを含む。ボディ部１６０Ｌは、自由記入欄１６１Ｌおよび保存欄１６２Ｌを含む。ボディ部１７０Ｌは、自由記入欄１７１Ｌおよび保存欄１７２Ｌを含む。図３に例示する左頁面１２０Ｌでは、三つの保存欄１５２Ｌ，１６２Ｌ，１７２Ｌに、画像ファイルの保存指示を示すチェックが記入されている。
【００３２】
同様に、右頁面１２０Ｒの上端部から下端部に向けて、タイトル部１３０Ｒ、ボディ部１４０Ｒ，１５０Ｒ，１６０Ｒ，１７０Ｒが並んで設けられている。タイトル部１３０Ｒには、四つのタイトル記入欄１３１Ｒ，１３２Ｒ，１３３Ｒ，１３４Ｒが設けられている。ユーザは、各タイトル記入欄１３１Ｒ，１３２Ｒ，１３３Ｒ，１３４Ｒに、それぞれボディ部１４０Ｒ，１５０Ｒ，１６０Ｒ，１７０Ｒのタイトルを記入可能である。
【００３３】
ボディ部１４０Ｒは、自由記入欄１４１Ｒおよび保存欄１４２Ｒを含む。自由記入欄１４１Ｒは、ユーザが自由に情報を記入可能な紙面領域である。保存欄１４２Ｒは、ユーザが画像ファイルの保存を指示するためのチェックボックスである。同様に、ボディ部１５０Ｒは、自由記入欄１５１Ｒおよび保存欄１５２Ｒを含む。ボディ部１６０Ｒは、自由記入欄１６１Ｒおよび保存欄１６２Ｒを含む。ボディ部１７０Ｒは、自由記入欄１７１Ｒおよび保存欄１７２Ｒに加えて、改頁欄１８０を含む。改頁欄１８０は、ユーザが紙媒体１００の改頁を指示するためのチェックボックスである。図３に例示する右頁面１２０Ｒでは、一つの保存欄１６２Ｒに、画像ファイルの保存指示を示すチェックが記入されている。
【００３４】
本実施形態では、ＰＣ４のＨＤＤ４２に、図３に示す用紙１２０のフォーマット情報が記憶されている。ＣＰＵ４１は、読取装置２から転送されたストロークデータに基づいて、情報を構成する線（ストローク）の座標位置を特定できる。さらにＣＰＵ４１は、特定したストロークの座標位置と、ＨＤＤ４２のフォーマット情報とに基づいて、用紙１２０（左頁面１２０Ｌまたは右頁面１２０Ｒ）においてストロークが記入されている位置を特定できる。ＣＰＵ４１は、特定した用紙１２０におけるストロークの記入位置に基づいて、ストロークデータのデータ種別を特定できる。
【００３５】
例えば、タイトル記入欄１３１Ｌに記入されたストロークに対応するストロークデータは、ボディ部１４０Ｌに付与されるタイトルのストロークデータとして特定される。自由記入欄１４１Ｌに記入されたストロークに対応するストロークデータは、ユーザが自由に入力した情報のストロークデータとして特定される。保存欄１４２Ｌに記入されたストロークに対応するストロークデータは、画像ファイルの保存を指示するストロークデータ（保存指示データ）として特定される。改頁欄１８０に記入されたストロークに対応するストロークデータは、紙媒体１００の改頁を指示するストロークデータ（改頁指示データ）として特定される。
【００３６】
図４〜図７を参照して、本実施形態の手書入力システム１において、ＰＣ４で実行される処理を説明する。先述したように、ユーザが読取装置２に紙媒体１００を取り付けて用紙１２０に情報を記入すると、ストロークデータがフラッシュＲＯＭ２２に保存される。フラッシュＲＯＭ２２に保存されたストロークデータは、近距離無線通信によって読取装置２からＰＣ４に転送され、ＨＤＤ４２に保存される。ＰＣ４で情報管理プログラムが起動されると、ＣＰＵ４１によってデータ分割処理（図４）が実行される。さらに、ユーザがＰＣ４で画像ファイルの表示を指示すると、ＣＰＵ４１によってファイル表示処理（図５）が実行される。
【００３７】
図４に示すように、データ分割処理では、まず処理対象データが選択される（Ｓ１）。処理対象データは、ＨＤＤ４２に保存された未処理のストロークデータのうちで、以下の処理の実行対象となるストロークデータである。本実施形態では、ステップＳ１が実行される毎に、用紙１２０における複数のボディ部の配列順序に従って、一のボディ部が選択される。ステップＳ１で選択された一のボディ部を、対象ボディ部という。ステップＳ１では、対象ボディ部に記入されたストロークに対応するストロークデータが、処理対象データとして選択される。
【００３８】
図３に示す例では、ステップＳ１が実行される毎に、一頁目（左頁面１２０Ｌ）のボディ部１４０Ｌ→ボディ部１５０Ｌ→ボディ部１６０Ｌ→ボディ部１７０Ｌの順に、対象ボディ部が選択される。さらに、二頁目（右頁面１２０Ｒ）のボディ部１４０Ｒ→ボディ部１５０Ｒ→ボディ部１６０Ｒ→ボディ部１７０Ｒの順に、対象ボディ部が選択される。なお、二頁目のボディ部１７０Ｒの次は、三頁目（左頁面１２０Ｌ）のボディ部１４０Ｌ→ボディ部１５０Ｌ→ボディ部１６０Ｌ→ボディ部１７０Ｌの順に、対象ボディ部が選択される。以下同様に、頁数の昇順に応じて、左頁面１２０Ｌと右頁面１２０Ｒとのいずれかが交互に選択され、選択された各頁面の対象ボディ部が順次選択される。
【００３９】
図４に戻る。ステップＳ１の実行後、対象ボディ部の保存欄にチェックありか否かが判断される（Ｓ３）。具体的には、ステップＳ１で選択された処理対象データのなかに保存指示データがない場合、対象ボディ部の保存欄にチェックなしと判断される（Ｓ３：ＮＯ）。この場合、対象ボディ部の改頁欄にチェックありか否かが判断される（Ｓ５）。具体的には、ステップＳ１で選択された処理対象データのなかに改頁指示データがない場合、対象ボディ部の改頁欄にチェックなしと判断される（Ｓ５：ＮＯ）。対象ボディ部に改頁欄が設けられていない場合も、対象ボディ部の改頁欄にチェックなしと判断される（Ｓ５：ＮＯ）。
【００４０】
対象ボディ部の改頁欄にチェックがない場合（Ｓ５：ＮＯ）、ＨＤＤ４２に未処理のストロークデータありか否かが判断される（Ｓ７）。未処理のストロークデータがある場合（Ｓ７：ＹＥＳ）、ステップＳ１で未選択のボディ部が存在するため、処理はステップＳ１に戻る。未処理のストロークデータがない場合（Ｓ７：ＮＯ）、ステップＳ１で全てのボディ部を選択済みであるため、データ分割処理が終了される。
【００４１】
ステップＳ１で選択された処理対象データのなかに保存指示データがある場合、対象ボディ部の保存欄にチェックありと判断される（Ｓ３：ＹＥＳ）。この場合、ＲＡＭ４３に後述の一時保存データありか否かが判断される（Ｓ９）。ＲＡＭ４３に一時保存データがない場合（Ｓ９：ＮＯ）、用紙１２０の保存チェックまでのストロークデータが切り出される（Ｓ１１）。具体的には、対象ボディ部の自由記入欄に対応するストロークデータが、ＲＡＭ４３の作業領域に読み出される。さらに、ＨＤＤ４２に保存されている未処理のストロークデータのうちで、対象ボディ部よりも配列順序が早いボディ部の自由記入欄に対応するストロークデータが、ＲＡＭ４３の作業領域に読み出される。なお、ＲＡＭ４３の作業領域に読み出されたストロークデータは、ＨＤＤ４２から削除される。
【００４２】
次いで、用紙１２０の保存チェックまでのストロークデータが、一つの画像ファイルとして保存される（Ｓ１３）。具体的には、ＲＡＭ４３の作業領域に読み出されたストロークデータが合成されて、一つの画像ファイルが生成され、ＨＤＤ４２に保存される。この画像ファイルは、ステップＳ１１において一または連続した複数の自由記入欄に記入されたストロークを画像化したものである。
【００４３】
なお、ＨＤＤ４２に保存される画像ファイルに対して、対象ボディ部に対応するタイトル記入欄に記入されたテキスト（タイトル）がファイル名として付与される。この場合、タイトル記入欄に対応するストロークデータに、公知のＯｐｔｉｃａｌ  Ｃｈａｒａｃｔｅｒ  Ｒｅｃｏｇｎｉｔｉｏｎ（ＯＣＲ）処理を施すことによって、テキスト（タイトル）が特定されればよい。ステップＳ１３の実行後、処理はステップＳ１に戻る。
【００４４】
ステップＳ１で選択された処理対象データのなかに改頁指示データがある場合、対象ボディ部の改頁欄にチェックありと判断される（Ｓ５：ＹＥＳ）。この場合、用紙１２０の改頁チェックまでのストロークデータが切り出される（Ｓ１５）。具体的には、ステップＳ１１と同様に、一または連続した複数の自由記入欄に記入されたストロークに対応するストロークデータが、ＲＡＭ４３の作業領域に読み出される。作業領域に読み出されたストロークデータは、ＨＤＤ４２から削除されるとともに、一時保存データとしてＲＡＭ４３に保存される（Ｓ１７）。ステップＳ１７の実行後、処理はステップＳ１に戻る。
【００４５】
ＲＡＭ４３に一時保存データがある場合（Ｓ９：ＹＥＳ）、ステップＳ１１と同様に、用紙１２０の保存チェックまでのストロークデータが切り出される（Ｓ１９）。これにより、一または連続した複数の自由記入欄に記入されたストロークに対応するストロークデータが、ＲＡＭ４３の作業領域に読み出される。さらに、ＲＡＭ４３に保存されている一時保存データも、ＲＡＭ４３の作業領域に読み出される。ＲＡＭ４３の作業領域では、ステップＳ１９で取得されたストロークデータが、ステップＳ１７で保存された一時保存データと結合される（Ｓ２１）。
【００４６】
次いで、用紙１２０の保存チェックまでのストロークデータが、一つの画像ファイルとして保存される（Ｓ１３）。具体的には、ＲＡＭ４３の作業領域で結合されたストロークデータが合成されて、一つの画像ファイルが生成され、ＨＤＤ４２に保存される。この画像ファイルは、ステップＳ１５、Ｓ１９において頁を跨いで連続した複数の自由記入欄に記入されたストロークを画像化したものである。
【００４７】
図３に示す例を用いて、データ分割処理（図４）を具体的に説明する。データ分割処理の開始直後は、一頁目のボディ部１４０Ｌのストロークデータが対象ボディ部となる（Ｓ１）。ボディ部１４０Ｌには、保存欄１４２Ｌにチェックがなく（Ｓ３：ＮＯ）、且つ、改頁欄が設けられていない（Ｓ５：ＮＯ）。そのため、対象ボディ部が、一頁目のボディ部１５０Ｌに移行する（Ｓ７：ＹＥＳ、Ｓ１）。
【００４８】
一頁目のボディ部１５０Ｌには、保存欄１５２Ｌにチェックがある（Ｓ３：ＹＥＳ）。この場合、ボディ部１５０Ｌの保存チェックまでデータ切り出しが行われる（Ｓ９：ＮＯ、Ｓ１１）。一頁目の自由記入欄１４１Ｌ，１５１Ｌに記入されたストロークに対応するストロークデータに基づいて、一つの画像ファイルが生成および保存される（Ｓ１３）。この画像ファイルに基づいて表示されるブロック画像１０１は、一頁目の自由記入欄１４１Ｌ，１５１Ｌに記入された情報をひとまとまりで示す。なお、一頁目のタイトル記入欄１３２Ｌに記入されたタイトルが、画像ファイルのファイル名として付与される。
【００４９】
対象ボディ部が一頁目のボディ部１６０Ｌに移行すると、保存欄１６２Ｌにチェックがある（Ｓ３：ＹＥＳ）。この場合、ボディ部１６０Ｌの保存チェックまでデータ切り出しが行われる（Ｓ９：ＮＯ、Ｓ１１）。一頁目の自由記入欄１６１Ｌに記入されたストロークに対応するストロークデータに基づいて、一つの画像ファイルが生成および保存される（Ｓ１３）。この画像ファイルに基づいて表示されるブロック画像１０２は、一頁目の自由記入欄１６１Ｌに記入された情報をひとまとまりで示す。なお、一頁目のタイトル記入欄１３３Ｌに記入されたタイトルが、画像ファイルのファイル名として付与される。
【００５０】
対象ボディ部が一頁目のボディ部１７０Ｌに移行すると、ボディ部１６０Ｌと同様に、一頁目の自由記入欄１７１Ｌに記入されたストロークに対応するストロークデータに基づいて、一つの画像ファイルが生成および保存される。この画像ファイルに基づいて表示されるブロック画像１０３は、一頁目の自由記入欄１７１Ｌに記入された情報をひとまとまりで示す。なお、一頁目のタイトル記入欄１３４Ｌに記入されたタイトルが、画像ファイルのファイル名として付与される。
【００５１】
次いで、二頁目のボディ部１４０Ｒが対象ボディ部に移行する（Ｓ１）。二頁目のボディ部１４０Ｒには、保存欄１４２Ｒにチェックがなく（Ｓ３：ＮＯ）、且つ、改頁欄が設けられていない（Ｓ５：ＮＯ）。二頁目のボディ部１５０Ｒも、保存欄１５２Ｒにチェックがなく（Ｓ３：ＮＯ）、且つ、改頁欄が設けられていない（Ｓ５：ＮＯ）。そのため、対象ボディ部が、二頁目のボディ部１６０Ｒに移行する（Ｓ７：ＹＥＳ、Ｓ１）。
【００５２】
対象ボディ部が二頁目のボディ部１６０Ｒに移行すると、保存欄１６２Ｒにチェックがある（Ｓ３：ＹＥＳ）。この場合、ボディ部１６０Ｒの保存チェックまでデータ切り出しが行われる（Ｓ９：ＮＯ、Ｓ１１）。二頁目の自由記入欄１４１Ｒ，１５１Ｒ，１６１Ｒに記入されたストロークに対応するストロークデータに基づいて、一つの画像ファイルが生成および保存される（Ｓ１３）。この画像ファイルに基づいて表示されるブロック画像１０４は、二頁目の自由記入欄１４１Ｒ，１５１Ｒ，１６１Ｒに記入された情報をひとまとまりで示す。なお、二頁目のタイトル記入欄１３３Ｒに記入されたタイトルが、画像ファイルのファイル名として付与される。
【００５３】
対象ボディ部が二頁目のボディ部１７０Ｒに移行すると、保存欄１７２Ｒにチェックがなく（Ｓ３：ＮＯ）、且つ、改頁欄１８０にチェックがある（Ｓ５：ＹＥＳ）。この場合、ボディ部１７０Ｒの改頁チェックまでデータ切り出しが行われる（Ｓ１５）。二頁目の自由記入欄１７１Ｒに記入されたストロークに対応するストロークデータが、一時保存データとしてＲＡＭ４３に保存される（Ｓ１７）。つまり、改頁欄１８０のチェックによって入力される改頁指示データは、紙媒体１００の改頁を指示するのみならず、その改頁に伴って一時退避する対象となるストロークデータを指定するコマンドとして機能する。
【００５４】
次いで、三頁目のボディ部１４０Ｌが対象ボディ部に移行する（Ｓ１）。この場合、保存欄１４２Ｌにチェックがあり（Ｓ３：ＹＥＳ）、且つ、ＲＡＭ４３に一時保存データがある（Ｓ９：ＹＥＳ）。したがって、ボディ部１４０Ｌの保存チェックまで切り出しが行われ、三頁目の自由記入欄１４１Ｌからストロークデータが取得される（Ｓ１９）。このストロークデータがＲＡＭ４３に保存された一時保存データと結合されて（Ｓ２１）、一つの画像ファイルが生成および保存される（Ｓ１３）。この画像ファイルに基づいて表示されるブロック画像１０５は、二頁分に跨って連続する自由記入欄１７１Ｒ，１４１Ｌに記入された情報をひとまとまりで示す。なお、三頁目のタイトル記入欄１３１Ｌに記入されたタイトルが、画像ファイルのファイル名として付与される。
【００５５】
このように、データ分割処理（図４参照）では、読取装置２で取得されたストロークデータに基づいて、ユーザがチェックした保存欄の位置および数量に対応する複数の画像ファイルが生成され、ＨＤＤ４２に保存される。つまり、保存欄のチェックによって入力される保存指示データは、画像ファイルの保存を指示するのみならず、その画像ファイルとして保存する対象となるストロークデータを指定するコマンドとして機能する。その後、ＨＤＤ４２に保存された複数の画像ファイルは、以下のファイル表示処理（図５参照）によってディスプレイ４８に表示される。
【００５６】
図５に示すように、ファイル表示処理では、ＨＤＤ４２に保存された複数の画像ファイルが、ファイル名順（例えば、五十音順、アルファベット順など）でソートされる（Ｓ５１）。ソートされた複数の画像ファイルが、ディスプレイ４８にサムネイル表示される（Ｓ５３）。つまり、ＨＤＤ４２に保存された複数の画像ファイルをそれぞれ縮小表示したサムネイル画像が、ファイル名順に並んでディスプレイ４８に表示される
【００５７】
さらに、ＨＤＤ４２に保存された複数の画像ファイルが、各々の画像ファイルが生成された日時順でソートされる（Ｓ５５）。ソートされた複数の画像ファイルが、ディスプレイ４８に見開き表示される（Ｓ５７）。つまり、ＨＤＤ４２に保存された複数の画像ファイルのうち、生成日時順で最も早い二頁分の画像ファイルを冊子状に見開き表示した見開き画像が、生成日時順に並んでディスプレイ４８に表示される。
【００５８】
次いで、ディスプレイ４８に表示されている見開き画像の頁切替え操作ありか否かが判断される（Ｓ５９）。見開き画像の頁切替え操作がある場合（Ｓ５９：ＹＥＳ）、頁切替え操作に応じてディスプレイ４８に表示される見開き画像が切替えられる（Ｓ６１）。見開き画像の頁切替え操作がない場合（Ｓ５９：ＮＯ）、またはステップＳ６１の実行後、画像ファイルの検索操作ありか否かが判断される（Ｓ６３）。画像ファイルの検索操作は、例えばユーザが所望の画像ファイルに関する検索条件を設定する操作である。画像ファイルの検索操作がある場合（Ｓ６３）、設定された検索条件に合致する画像ファイルが、ＨＤＤ４２に保存された複数の画像ファイルのなかから検索される（Ｓ６５）。ステップＳ６５の検索結果が，ディスプレイ４８に表示される（Ｓ６７）。画像ファイルの検索操作がない場合（Ｓ６３：ＮＯ）、またはステップＳ６７の実行後、処理はステップＳ５９に戻る。
【００５９】
図３、図６および図７に示す例を用いて、ファイル表示処理（図５）を具体的に説明する。例えば、図３に示すブロック画像１０１〜１０５の各画像ファイルに、それぞれファイル名として「きせつ」、「はる」、「なつ」、「あき」、「ふゆ」が付与された場合を想定する。これら五つの画像ファイルの生成された日時順は、ブロック画像１０１〜１０５の並びに対応している。この場合、ファイル表示処理（図５）によって、図６に例示するファイル表示画面２００がディスプレイ４８に表示される。
【００６０】
ファイル表示画面２００は、ファイル操作部２１０およびファイル表示部２２０を含む。ファイル操作部２１０は、ＨＤＤ４２に設けられている複数のフォルダのなかで、表示対象となる画像ファイルが格納されているフォルダを、ユーザが選択するための領域である。ファイル表示部２２０は、ファイル操作部２１０で選択されたフォルダに格納されている画像ファイルを表示するための領域である。
【００６１】
ファイル表示部２２０は、サムネイル表示部２３０および見開き表示部２４０を含む。サムネイル表示部２３０では、各画像ファイルのサムネイル画像がファイル名順に表示される（Ｓ５１、Ｓ５３）。図６に示す例では、五つのサムネイル画像２３１〜２３５が、左右方向に並んで表示されている。サムネイル画像２３１は、ファイル名「あき」の画像ファイルに対応し、ブロック画像１０４が縮小表示される。サムネイル画像２３２は、ファイル名「きせつ」の画像ファイルに対応し、ブロック画像１０１が縮小表示される。サムネイル画像２３３は、ファイル名「なつ」の画像ファイルに対応し、ブロック画像１０３が縮小表示される。サムネイル画像２３４は、ファイル名「はる」の画像ファイルに対応し、ブロック画像１０２が縮小表示される。サムネイル画像２３５は、ファイル名「ふゆ」の画像ファイルに対応し、ブロック画像１０５が縮小表示される。つまり、五つのサムネイル画像２３１〜２３５は、サムネイル表示部２３０内でファイル名順に並んでいる。
【００６２】
見開き表示部２４０では、二頁分の画像ファイルの見開き画像が生成日時順に表示される（Ｓ５５、Ｓ５７）。図６に示す例では、二つの見開き画像２４１，２４２が、左右方向に並んで表示されている。左側の見開き画像２４１は、ファイル名「きせつ」の画像ファイルに対応し、ブロック画像１０１が縮小表示される。右側の見開き画像２４２は、ファイル名「あき」の画像ファイルに対応し、ブロック画像１０２が縮小表示される。つまり、二つの見開き画像２４１，２４２は、見開き表示部２４０内で生成日時順に並んでいる。
【００６３】
見開き表示部２４０には、冊子状に表示された見開き画像を切り替えるための頁操作部２４９が設けられている。ユーザは頁操作部２４９を用いて、見開き画像の頁送り、頁戻り、頁指定などを指示できる。頁操作部２４９で行われた操作に応じて、見開き表示部２４０に表示される二つの見開き画像が切替えられる（Ｓ５９：ＹＥＳ、Ｓ６１）。例えば、ユーザが頁操作部２４９から用紙一枚分の頁送りを指示した場合、見開き表示部２４０に表示されている見開き画像２４１，２４２が、一枚の用紙１２０を実際に捲るように更新される。つまり、ブロック画像１０１，１０２の画像ファイルに対応する二つの見開き画像２４１，２４２に代えて、ブロック画像１０３，１０４の画像ファイルに対応する二つの見開き画像２４３，２４４（図７参照）が表示される。
【００６４】
さらに、本実施形態のファイル表示画面２００には、所望の画像ファイルを検索するためのファイル検索部２５０が設けられている。ファイル検索部２５０には、例えばファイル名を示す検索キーを入力可能である。例えば、ファイル検索部２５０に検索キー「あき」が入力された場合、ファイル名「あき」の画像ファイルが検索される（Ｓ６３：ＹＥＳ、Ｓ６５）。この場合、図７に示すように、ファイル表示部２２０では検索結果として、ファイル名「あき」の画像ファイルが、他の画像ファイルと区別して表示される（Ｓ６７）。
【００６５】
具体的には、ファイル表示部２２０では、ファイル名「あき」の画像ファイルに対応するサムネイル画像２３４が、例えば色分け表示またはハイライト表示などによって特殊表示される。同時に、見開き表示部２４０では、例えば二つの見開き画像２４１，２４２が表示されている場合、二つの見開き画像２４３，２４４に自動的に表示内容が切替えられる。つまり、ファイル名「あき」の画像ファイルに対応する見開き画像２４４を含むように、見開き表示部２４０に表示する二つの見開き画像が自動的に変更される。さらに、見開き画像２４４が、例えば色分け表示またはハイライト表示などによって特殊表示される。これにより、ユーザはファイル検索部２５０を用いて、ファイル表示部２２０に表示される複数の画像ファイルのなかから所望の画像ファイルを容易に特定できる。
【００６６】
なお、ステップＳ６５，Ｓ６７では、ファイル検索部２５０に入力された検索キーをブロック画像１０１〜１０５から検索し、検索にヒットしたブロック画像の画像ファイルを、他の画像ファイルと区別して表示してもよい。この場合、ブロック画像１０１〜１０５に対してＯＣＲ処理を施すことで、各ブロック画像１０１〜１０５からテキストが抽出される。抽出されたテキストが検索キーを含むか否かによって、検索キーに合致する画像ファイルが検索されればよい。
【００６７】
以上説明したように、本実施形態の手書入力システム１では、電子ペン３によって紙媒体１００に情報が記入されると、電子ペン３の軌跡を示すストロークデータが読取装置２によって取得される。ＰＣ４では、取得されたストロークデータに基づいて、紙媒体１００に記入された情報を示す画像ファイルが生成され、ＨＤＤ４２に保存される。ディスプレイ４８には、ＨＤＤ４２に記憶された複数の画像ファイルに基づいて、第一の項目（ファイル名）に基づく順序でサムネイル画像が表示され（Ｓ５１、Ｓ５３）、且つ、第二の項目（生成日時）に基づく順序で見開き画像が表示される（Ｓ５５、Ｓ５７）。したがって、ユーザが紙媒体１００から必要な情報を探し出すのと同様の感覚で、所望の画像ファイルを特定できる。
【００６８】
ＨＤＤ４２に記憶された複数の画像ファイルのうちで、指定された条件に合致する画像ファイルが検索される（Ｓ６５）。サムネイル表示部２３０に表示される複数のサムネイル画像のうちで、検索された画像ファイルに対応するサムネイル画像が、他の前記サムネイル画像とは異なる態様で表示される（Ｓ６７）。見開き表示部２４０に表示される複数の見開き画像のうちで、検索された画像ファイルに対応する見開き画像が、他の見開き画像とは異なる態様で表示される（Ｓ６７）。したがって、ユーザはディスプレイ４８に表示される複数の画像ファイルのなかから、所望の画像ファイルを容易に特定できる。
【００６９】
画像ファイルの生成に使用されていない未処理のストロークデータのうちで、保存指示データが示す保存対象のストロークデータ（一または複数のボディ部に記入されたストロークに対応するストロークデータ）を合成することで、一の画像ファイルが生成される（Ｓ３、Ｓ９〜Ｓ１３、Ｓ１９、Ｓ２１）。したがって、ユーザは電子ペン３を使用して紙媒体１００に保存指示データに対応する情報（例えば、保存欄のチェック）を記入することで、ＰＣ４で複数に分割された画像ファイルを自由に生成できる。
【００７０】
画像ファイルの生成に使用されていない未処理のストロークデータのうちで、改頁指示データが示す改頁対象のストロークデータが、ＲＡＭ４３に退避される（Ｓ１７）。保存指示データが示す保存対象の前記ストロークデータと、一時記憶装置に退避させた改頁対象のストロークデータとを合成することで、一の画像ファイルが生成される（Ｓ１３）。したがって、ユーザは電子ペン３を使用して紙媒体１００に保存指示データに対応する情報（例えば、改頁欄のチェック）を記入することで、ＰＣ４で複数頁に跨って入力された情報を一つの画像ファイルにまとめることができる。
【００７１】
上記実施形態において、ＰＣ４が本発明の「情報管理装置」に相当する。電子ペン３が、本発明の「筆記手段」に相当する。読取装置２が、本発明の「検出手段」に相当する。無線通信部４４が、本発明の「データ取得手段」に相当する。ステップＳ３〜Ｓ２１を実行するＣＰＵ４１が、本発明の「ファイル生成手段」に相当する。ステップＳ１３を実行するＣＰＵ４１が、本発明の「記憶制御手段」に相当する。ＨＤＤ４２が、本発明の「記憶装置」に相当する。ステップＳ５３を実行するＣＰＵ４１が、本発明の「第一表示制御手段」に相当する。ステップＳ５７を実行するＣＰＵ４１が、本発明の「第二表示制御手段」に相当する。ステップＳ６５を実行するＣＰＵ４１が、本発明の「ファイル検索手段」に相当する。ステップＳ６７を実行するＣＰＵ４１が、本発明の「第一検索結果表示手段」および「第二検索結果表示手段」に相当する。ステップＳ３〜Ｓ２１が、本発明の「ファイル生成ステップ」に相当する。ステップＳ１３が、本発明の「記憶制御ステップ」に相当する。ステップＳ５３が、本発明の「第一表示制御ステップ」に相当する。ステップＳ５７が、本発明の「第二表示制御ステップ」に相当する。
【００７２】
本発明は上記実施形態に限定されるものではなく、発明の要旨を変更しない範囲での変更が可能である。例えば、読取装置２は他の方法で電子ペン３の位置を検出してもよい。例えば読取装置２はタッチパネルを備えてもよい。タッチパネルの駆動方式は、抵抗膜方式であることが好ましい。タッチパネル上に紙媒体１００が置かれてもよい。ＣＰＵ２１は、電子ペン３によって紙媒体１００の用紙１２０に情報を記入する動作が行われた場合、タッチパネルを介して筆圧が加えられた位置を検出してもよい。
【００７３】
用紙１２０のフォーマットは、上記実施形態に限定されない。図８に示す変形例の紙媒体１００では、左頁面１２０Ｌの上端部から下端部に向けて、一行単位で構成された複数の自由記入欄１９０Ｌが並んで設けられている。各自由記入欄１９０Ｌの右端には、それぞれ保存欄１８２Ｌが設けられている。同様に、右頁面１２０Ｒの上端部から下端部に向けて、一行単位で構成された複数の自由記入欄１９０Ｒが並んで設けられている。右頁面１２０Ｒの右下隅に、改頁欄１８０が設けられている。
【００７４】
したがって、ユーザは一行単位の自由記入欄１９０Ｌ，１９０Ｒ毎に、各々対応する保存欄１８２Ｌ，１８２Ｒに対して、画像ファイルの保存指示を示すチェックを記入できる。上記実施形態と同様に、改頁欄１８０に対して、紙媒体１００の改頁指示を示すチェックを記入できる。なお、図８に示す左頁面１２０Ｌでは二つの保存欄１８２Ｌにチェックが記入され、右頁面１２０Ｒでは二つの保存欄１８２Ｒにチェックが記入されている。
【００７５】
図８に示す変形例では、ＰＣ４のＨＤＤ４２に、図８に示す用紙１２０のフォーマットが記憶されている。したがって、ＣＰＵ４１は上記実施形態と同様に、読取装置２から転送されたストロークデータに基づいて、用紙１２０（左頁面１２０Ｌまたは右頁面１２０Ｒ）においてストロークが記入されている位置、およびストロークデータのデータ種別を特定できる。
【００７６】
図８に示す変形例の場合、データ分割処理（図４）が実行されると、四つの保存欄１８２Ｌ、１８２Ｒのチェック箇所に応じて、ブロック画像１１１〜１１４に対応する四つの画像ファイルが生成される。ブロック画像１１１は、左頁面１２０Ｌの１〜８行目までの自由記入欄１９０Ｌに記入された情報を示す。ブロック画像１１２は、左頁面１２０Ｌの９〜１５行目までの自由記入欄１９０Ｌに記入された情報を示す。ブロック画像１１３は、右頁面１２０Ｒの１〜１２行目までの自由記入欄１９０Ｒに記入された情報を示す。ブロック画像１１４は、右頁面１２０Ｒの１３〜１５行目までの自由記入欄１９０Ｒに記入された情報を示す。
【００７７】
ファイル表示画面２００における画像ファイルの表示態様は、上記実施形態に限定されない。例えば、図８に示す変形例の場合、ファイル表示処理（図５）が実行されると、図９に示す変形例のファイル表示画面２００が表示される。見開き表示部２４０の表示態様は上記実施形態と同様である。すなわち、ブロック画像１１１〜１１４の各ファイル画像が、二頁分の見開き画像によって生成日時順に表示される。一方、サムネイル表示部２３０では、左頁面１２０Ｌを忠実に再現したサムネイル画像２３１と、右頁面１２０Ｒを忠実に再現したサムネイル画像２３２とが並べて表示されている。これにより、ユーザは実際の紙媒体１００の記入状態を、サムネイル画像２３１，２３２に基づいて把握できる。
【００７８】
画像ファイルの検索対象は、画像ファイルのファイル名およびブロック画像に限定されない。例えば、図１０に示す変形例の紙媒体１００では、用紙１２０の見開き両面にいずれにも、タイトル記入欄１９１、タグ記入欄１９２、自由記入欄１９３、改頁欄１９４、保存欄１９５が設けられている。タグ記入欄１９２には、ユーザが自由記入欄１９３に記入した情報に関するキーワードを記入する。
【００７９】
図１０に示す変形例の場合、データ分割処理（図４）が実行されると、次のように画像ファイルが生成される。改頁欄１９４にチェックが入力されている場合、自由記入欄１９３のストロークデータが一時保存される。一方、保存欄１９５にチェックが入力されている場合、自由記入欄１９３のストロークデータ（および、一時保存データ）に基づいて、画像ファイルが生成される。生成された画像ファイルには、タイトル記入欄１９１に記入されているタイトルが、ファイル名として付与される。さらに、タグ記入欄１９２に記入されているキーワードが、生成された画像ファイルのヘッダ部にタグ情報として付与される。
【００８０】
ファイル表示処理（図５）では、ファイル検索部２５０にタグ情報を示す検索キーが入力されると、検索キーと一致するタグ情報がヘッダ部に付与されている画像ファイルが検索される。ファイル表示画面２００では、上記実施形態と同様に、検索にヒットした画像ファイルが他の画像ファイルと区別して表示される。これによれば、ユーザがあらかじめ付与したタグ情報に基づいて、所望の画像ファイルを検索できる。
【００８１】
サムネイル画像の表示順序である第一の項目は、ファイル名に限定されない。例えば第一の項目は、ファイル画像のファイルサイズ、ファイル種類、更新日時等でもよい。見開き画像の表示順序である第二の項目は、生成日時に限定されない。例えば第二の項目は、ファイル画像の生成元となるストロークデータの取得日時等でもよい。
【００８２】
上記実施形態では、読取装置２から取得されたストロークデータのデータ種別が、ＰＣ４で特定されている。これに代えて、ストロークデータのデータ種別を、読取装置２で特定してもよい。例えば、センサ基板７Ｌによって検出される電子ペン３の位置情報によって、ＡＳＩＣ２８Ａは左頁面１２０Ｌのいずれの位置に、ストロークが記入されているかを特定できる。同様に、センサ基板７Ｒによって検出される電子ペン３の位置情報によって、ＡＳＩＣ２９Ａは右頁面１２０Ｒのいずれの位置に、ストロークが記入されているかを特定できる。ＣＰＵ２１は、ストロークが記入されている位置に基づいて、ストロークデータのデータ種別を特定すればよい。なお、上記実施形態では、読取装置２からＰＣ４に対して、ストロークデータが無線通信によって転送されている。これに代えて、読取装置２からＰＣ４に対して、ストロークデータが有線通信によって転送されてもよい。
【符号の説明】
【００８３】
２    読取装置
３    電子ペン
４    ＰＣ
４１    ＣＰＵ
４２    ＨＤＤ
４３    ＲＡＭ
４４    無線通信部
４８    ディスプレイ
１００    紙媒体
１２０    用紙
【図１】
2014086053.tif 000003
【図２】
2014086053.tif 000004
【図３】
2014086053.tif 000005
【図４】
2014086053.tif 000006
【図５】
2014086053.tif 000007
【図６】
2014086053.tif 000008
【図７】
2014086053.tif 000009
【図８】
2014086053.tif 000010
【図９】
2014086053.tif 000011
【図１０】
2014086053.tif 000012